(57)【要約】      （修正有）【課題】調理時に発生する排気ガスを効果的に吸入して厨房空間の外部へ排出する壁掛け型電子レンジを提供する。【解決手段】案内ダクト２５がフード２０に移動可能に設けられ、作動装置４０により自動にスライドされ、案内ダクト２５の内部には可動フィルタ２６が一定間隔で離隔して取り付けられ、案内ダクト２５が作動装置４０により前方に移動した状態で、可動フィルタ２６により異物が濾された排気ガスが案内ダクト２５によりフードの内部に案内される。作動装置４０は、フードの上面に装着された駆動モータと、駆動モータにより回転して案内ダクトを前方にスライドさせる回転部材と、案内ダクトを後方に移動させるため、一端がフードの上面に固定され、他端が案内ダクトの内側端に固定される弾性部材とを含む。【選択図】        図１
2004191030.tif 000002
【特許請求の範囲】
【請求項１】
飲食物を調理する加熱部と、
電子レンジの外観をなす本体と、
前記本体の底部に装着され、電子レンジの外部の排気ガスを前記本体内に吸入するための少なくとも一つの吸入口が形成されたフードと、
前記吸入口の上部位置で前記フードの内部に移動可能に配置され、内側面から所定間隔で離隔するように取り付けられた可動フィルタを含む案内ダクトと、
前記案内ダクトを前進又は後退させる作動部と、
前記案内ダクトにより案内される排気ガスから異物を濾すため、前記案内ダクト内に設けられる可動フィルタとを含んでなり、
前記案内ダクトは、前記作動部により前方に移動すると、異物の濾された排気ガスを前記本体内に案内することを特徴とする壁掛け型電子レンジ。
【請求項２】
前記フードはその側壁に設けられたスライド溝を含み、前記案内ダクトは、前記フードのスライド溝に沿って前記可動フィルタとともに移動するように、両側端が前記スライド溝内にスライド可能に挿入されることを特徴とする請求項１に記載の壁掛け型電子レンジ。
【請求項３】
前記壁掛け型電子レンジは、前記吸入口を通過する排気ガスから異物を除去するため、前記吸入口に取り付けられた固定フィルタをさらに含むことを特徴とする請求項２に記載の壁掛け型電子レンジ。
【請求項４】
前記作動部は、
前記フードの装着された駆動モータと、
一端が前記駆動モータの回転軸に連結され、前記駆動モータにより回転して前記案内ダクトを前方に移動させる回転部材と、
第１端部が前記フードに連結され、第２端部が前記案内ダクトに連結され、弾性力を前記案内ダクトに提供して前記案内ダクトを後方に移動させる少なくとも一つの弾性部材とを含むことを特徴とする請求項２に記載の壁掛け型電子レンジ。
【請求項５】
前記回転部材は、一端が前記駆動モータの回転軸に連結され、他端が所定の曲率の屈曲形状を有する作動カムを含むことを特徴とする請求項４に記載の壁掛け型電子レンジ。
【請求項６】
前記回転部材は、
第１端部が前記駆動モータの回転軸に連結され、所定の長さを有する作動棒と、
前記作動棒の第２端部に連結されたローラーとを含み、
前記案内ダクトは、前記ローラーが前記案内ダクトの一側端と接触して自転すると、前方に移動することを特徴とする請求項４に記載の壁掛け型電子レンジ。
【請求項７】
前記弾性部材は二つのコイルスプリングを含むことを特徴とする請求項４に記載の壁掛け型電子レンジ。
【請求項８】
前記壁掛け型電子レンジは、前記案内ダクトが前記弾性部材により後方に移動する場合、前記案内ダクトを所定の位置で停止させるため、前記フードに装着された少なくとも一つのストッパーをさらに含むことを特徴とする請求項４に記載の壁掛け型電子レンジ。
【請求項９】
前記壁掛け型電子レンジは前記フードに装着された第１及び第２マイクロスイッチをさらに含み、前記第１マイクロスイッチは前記駆動モータを制御して前記案内ダクトの後方移動を停止させ、前記第２マイクロスイッチは、前記駆動モータを制御して前記案内ダクトの前方移動を停止させるため、前記駆動モータの後側に位置することを特徴とする請求項５に記載の壁掛け型電子レンジ。
【請求項１０】
前記壁掛け型電子レンジは前記フードに装着された第１及び第２マイクロスイッチをさらに含み、
前記駆動モータは両方向同期モータを含み、
前記第１マイクロスイッチは、前記駆動モータを制御して前記案内ダクトの後方移動を停止させるため、前記駆動モータの後側に位置し、
前記第２マイクロスイッチは、前記駆動モータを制御して前記案内ダクトの前方移動を停止させるため、前記駆動モータの前側に位置することを特徴とする請求項６に記載の壁掛け型電子レンジ。
【請求項１１】
前記壁掛け型電子レンジは前記フードに装着された第１及び第２マイクロスイッチをさらに含み、
前記駆動モータは一方向同期モータを含み、
前記第１マイクロスイッチは、前記駆動モータを制御して前記案内ダクトの後方移動を停止させるため、前記駆動モータの側方に隣接して位置し、
前記第２マイクロスイッチは、前記駆動モータを制御して前記案内ダクトの前方移動を停止させるため、前記駆動モータの前側に位置することを特徴とする請求項６に記載の壁掛け型電子レンジ。
【請求項１２】
前記壁掛け型電子レンジは、排気ガスを前記本体の排気通路内に吸入して調理空間の外部へ排出させる排気部をさらに含み、前記電子レンジは前記調理空間内に設けられることを特徴とする請求項１に記載の壁掛け型電子レンジ。
【請求項１３】
前記案内ダクトは、前記案内ダクトが前記作動部により前方に移動すると、排気ガスを前記フードの吸入口に案内するため、前記フードの面積より大きい付加のカバー面積を提供することを特徴とする請求項１に記載の壁掛け型電子レンジ。
【請求項１４】
前記案内ダクトが前方に延長した場合、排気ガスの一部は前記吸入口を通して吸入され、残りの排気ガスは前記可動フィルタを経て前記本体の吸入口に吸入されることを特徴とする請求項１に記載の壁掛け型電子レンジ。
【請求項１５】
前記作動カムは前記案内ダクトの移動距離に相当する長さを有することを特徴とする請求項５に記載の壁掛け型電子レンジ。
【請求項１６】
前記作動棒は前記案内ダクトの移動距離に相当する長さを有することを特徴とする請求項６に記載の壁掛け型電子レンジ。
【請求項１７】
前記作動棒が前記駆動モータにより回転するにつれて、前記ローラーが前記案内ダクトの一側端と接触して自転すると、前記案内ダクトが前方に移動することを特徴とする請求項６に記載の壁掛け型電子レンジ。
【請求項１８】
調理空間に設置される壁掛け型調理装置において、
飲食物を調理する加熱部と、
前記調理装置の外観をなす本体と、
前記本体の底部に装着され、前記調理装置の外部の排気ガスを前記本体内に吸入するための少なくとも一つの吸入口が形成されたフードと、
前記吸入口の上部位置で前記フードの内部に移動可能に配置され、内側面から所定間隔で離隔するように取り付けられた可動フィルタを含む案内ダクトと、
前記案内ダクトを前進又は後退させる作動部とを含んでなり、
前記案内ダクトが前方に延長した場合、排気ガスの一部は前記吸入口を通して吸入され、残りの排気ガスは前記可動フィルタ及び前記案内ダクトを通して前記本体の吸入口に吸入されることを特徴とする壁掛け型調理装置。
【請求項１９】
前記壁掛け型調理装置は、排気ガスを前記本体内に吸入して調理空間の外部へ排出させる排気部をさらに含むことを特徴とする請求項１８に記載の壁掛け型調理装置。
【請求項２０】
前記壁掛け型調理装置は、前記吸入口に取り付けられた固定フィルタをさらに含み、前記案内ダクトが前方に延長した場合、排気ガスの一部は前記固定フィルタにより濾過され、残りの排気ガスは前記可動フィルタにより濾過されてから前記固定フィルタにより濾過されることを特徴とする請求項１８に記載の壁掛け型調理装置。
【請求項２１】
前記壁掛け型調理装置は、前記作動部を制御して前記案内ダクトの前方及び後方移動を停止させるため、前記フードに装着されるマイクロスイッチをさらに含むことを特徴とする請求項１８に記載の壁掛け型調理装置。
【請求項２２】
前記案内ダクトは、前記案内ダクトが前記作動部により前方に移動すると、排気ガスを前記フードの吸入口に案内するため、前記フードの面積より大きい付加のカバー面積を提供することを特徴とする請求項１８に記載の壁掛け型調理装置。
【請求項２３】
前記加熱部は、飲食物を調理するための高周波を発生させるマグネトロンを含むことを特徴とする請求項１８に記載の壁掛け型調理装置。
【発明の詳細な説明】
【０００１】
【発明の属する技術分野】
本発明は壁掛け型電子レンジに係り、より詳しくは自動にスライドできるように取り付けられる可動フィルタと案内ダクトを備えて、オーブンレンジから発生する排気ガス及び飲食物臭いをより効果的に吸入し排出するようにした壁掛け型電子レンジに関するものである。
【０００２】
【従来の技術】
壁掛け電子レンジは、厨房空間に設置されたオーブンレンジの上部の厨房壁面に取り付けられ、通常の電子レンジが有する高周波による調理機能とともに、オーブンレンジから発生する排気ガス、煙又は飲食物臭いなどを厨房空間の外部へ排出させる機能をするようにした家電機器である。
【０００３】
ガスオーブンはガスの燃焼による熱を用いて飲食物を調理し、壁掛け型電子レンジはその内部に置かれた飲食物に高周波を照射し、飲食物に含有された水分の分子配列を繰り返し変換させることにより発生する分子間の摩擦熱により飲食物を調理する。
【０００４】
従来の壁掛け型電子レンジは、一般の電子レンジと同様に、本体の内部に相互区画された調理室と電装室を備えている。しかし、一般の電子レンジとは異なり、本体の内部には、オーブンレンジで飲食物を調理するときに発生する排気ガス及び飲食物臭いを排出させるために案内する排気通路が設けられ、本体の後方上側には、排気通路を通して流動する排気ガス、飲食物臭い及び煙を吸入して厨房空間の外部へ排出させる排気ファンが設けられている。
【０００５】
本体の底部には、オーブンレンジから発生する排気ガス、飲食物臭いなどを本体の内部に設けられた排気通路に流入して厨房空間の外部へ排出させるためのフードが取り付けられている。このフードには、排気ガス及び飲食物臭いを本体の内部に流入させるため、排気通路に連通する吸入口が形成されている。前記吸入口は所定のサイズに形成され、オーブンレンジから発生する排気ガス、飲食物臭いなどがこの吸入口を介して流入される。
【０００６】
しかし、このように構成された一般の壁掛け型電子レンジは、その下部に配置されたオーブンレンジから発生する排気ガス、煙、飲食物臭いなどを効果的に吸入して排出することができない欠点がある。すなわち、厨房の壁面から前方に延長した壁掛け型電子レンジの延長部の長さはその下部に配置されたオーブンレンジの突出長さに比べて小さいため、オーブンレンジから発生する排気ガス、煙、及び飲食物臭いを十分に吸入することができる。したがって、排気ガス、飲食物臭いなどの一部は壁掛け型電子レンジを通して厨房空間の外部へ排出されなく厨房空間に留まるため、この排気ガス、飲食物臭いにより厨房空間の空気が汚染して不快感を誘発するだけでなく、使用者の健康にもよくない。
【０００７】
また、一般の電子レンジの吸入口には通常フィルタが設けられ、流入する排気ガス又は空気から異物を濾す。従来の壁掛け型電子レンジのフィルタも電子レンジに比べて小さい吸入口を有するため、厨房空間で発生する排気ガス又は飲食物臭いに含まれた異物が十分に濾せない欠点があるものである。
【０００８】
【発明が解決しようとする課題】
したがって、本発明は前述したような従来技術の問題点を解決するためになされたもので、その目的は、下部に配置されたオーブンレンジから発生する排気ガス及び飲食物臭いなどを効果的に吸入して排出するようにした壁掛け型電子レンジを提供することにある。
【０００９】
本発明のほかの目的は、オーブンレンジから発生する排気ガス及び飲食物臭いなどに含まれた異物を効果的に濾すようにした壁掛け型電子レンジを提供することにある。
【００１０】
【課題を解決するための手段】
前記のような目的を達成するため、本発明は、飲食物を調理する加熱部と、電子レンジの外観をなす本体と、前記本体の底部に装着され、電子レンジの外部の排気ガスを前記本体内に吸入するための少なくとも一つの吸入口が形成されたフードと、前記吸入口の上部位置で前記フードの内部に移動可能に配置され、内側面から所定間隔で離隔するように取り付けられた可動フィルタを含む案内ダクトと、前記案内ダクトを前進又は後退させる作動部と、前記案内ダクトにより案内される排気ガスから異物を濾すため、前記案内ダクト内に設けられる可動フィルタとを含んでなり、前記案内ダクトは、前記作動部により前方に移動すると、異物の濾された排気ガスを前記本体内に案内する壁掛け型電子レンジを提供する。
【００１１】
前記フードはその側壁に設けられたスライド溝を含むことができ、前記案内ダクトは、前記フードのスライド溝に沿って前記可動フィルタとともに移動するように、両側端が前記スライド溝内にスライド可能に挿入できる。
【００１２】
前記壁掛け型電子レンジは、前記吸入口を通過する排気ガスから異物を除去するため、前記吸入口に取り付けられた固定フィルタをさらに含むことができる。
【００１３】
前記作動部は、前記フードの装着された駆動モータと、一端が前記駆動モータの回転軸に連結され、前記駆動モータにより回転して前記案内ダクトを前方に移動させる回転部材と、第１端部が前記フードに連結され、第２端部が前記案内ダクトに連結され、弾性力を前記案内ダクトに提供して前記案内ダクトを後方に移動させる少なくとも一つの弾性部材とを含むことができる。
【００１４】
前記回転部材は、一端が前記駆動モータの回転軸に連結され、他端が所定の曲率の屈曲形状を有する作動カムを含むことができる。
【００１５】
一方、前記回転部材は、第１端部が前記駆動モータの回転軸に連結され、所定の長さを有する作動棒と、前記作動棒の第２端部に連結されたローラーとを含むことができ、前記案内ダクトは、前記ローラーが前記案内ダクトの一側端と接触して自転すると、前方に移動する。
【００１６】
前記壁掛け型電子レンジは、前記案内ダクトが前記弾性部材により後方に移動する場合、前記案内ダクトを所定の位置で停止させるため、前記フードに装着された少なくとも一つのストッパーをさらに含むことができる。
【００１７】
前記弾性部材は二つのコイルスプリングを含むことができる。
【００１８】
前記壁掛け型電子レンジは、前記回転部材の上端及び下端の中心に対応する各位置の前記フードに装着された第１及び第２マイクロスイッチをさらに含むことができる。
【００１９】
前記回転部材が前記作動カムを含む場合、前記電子レンジは、前記駆動モータを制御して前記案内ダクトの後方移動を停止させるため、前記フードに装着された第１マイクロスイッチと、前記駆動モータを制御して前記案内ダクトの前方移動を停止させるため、前記駆動モータの後側に位置するように前記フードに装着された第２マイクロスイッチとをさらに含むことができる。この場合、前記駆動モータは一方向同期モータであり得る。
【００２０】
前記回転部材が前記作動棒を含む場合、前記電子レンジは、前記駆動モータを制御して前記案内ダクトの後方移動を停止させるため、前記駆動モータの後側に位置するように前記フードに装着された第１マイクロスイッチと、前記駆動モータを制御して前記案内ダクトの前方移動を停止させるため、前記駆動モータの前側に位置するように前記フードに装着された第２マイクロスイッチとをさらに含むことができる。この場合、前記駆動モータは二方向同期モータであり得る。
【００２１】
一方、前記回転部材が前記作動棒を含む場合、前記電子レンジは、前記駆動モータを制御して前記案内ダクトの後方移動を停止させるため、前記駆動モータの側方に隣接して位置するように前記フードに装着された第１マイクロスイッチと、前記駆動モータを制御して前記案内ダクトの前方移動を停止させるため、前記駆動モータの前側に位置するように前記フードに装着された第２マイクロスイッチとをさらに含むことができる。この場合、前記駆動モータは一方向同期モータであり得る。
【００２２】
【発明の実施の形態】
以下、本発明の好ましい実施例を添付図面に基づいて詳細に説明する。
【００２３】
図１は本発明の第１実施例によるフードが装着された壁掛け型電子レンジの構造を示す概略分解斜視図である。同図に示すように、本発明の第１実施例によるフードが装着された壁掛け型電子レンジは、内部に調理室１１と電装室１２が区画された本体１０により外観をなす。調理室１１の開放前面には、調理室１１を開閉するためのドア１３が取り付けられ、電装室１２には、調理室１１に高周波を照射して調理室１１内の飲食物を調理するための各種の電装品が設けられる。
【００２４】
また、本体１０の下部に配置されたオーブンレンジなどのような調理器から発生する排気ガス、飲食物臭いなどを吸入して厨房空間の外部へ排出させるため、本体１０の底部には、一対の吸入口２１が形成されたフード２０が設けられ、本体１０の後壁と両側壁には排気通路２２が設けられ、本体１０の後壁の上部には、一つのモータにより駆動される一対の排気ファン２３が設けられる。
【００２５】
吸入口２１はフード２０の前半部に互いに並列に配置され、各吸入口２１には、排気ガスに含まれた異物を濾すための固定フィルタ２４が設けられる。
【００２６】
また、フード２０には、本発明の第１実施例による案内ダクト２５、可動フィルタ２６、及び前記案内ダクト２５及び前記可動フィルタ２６を自動にスライドさせてフード２０の外部に延長させるか、あるいはフード２０の内部に引っ込めるための作動部４０が設けられる。
【００２７】
可動フィルタ２６は案内ダクト２５の内面から一定間隔で離隔したままで分離可能に取り付けられ、案内ダクト２５と一緒に移動する。案内ダクト２５はスライドできるように両側端がフード２０の両側端に設けられたスライド溝２７に挿入されている。
【００２８】
したがって、作動部４０により案内ダクト２５がフード２０のスライド溝２７に沿って前方に自動にスライドすると、案内ダクト２５が可動フィルタ２６とともに本体１０の前方に延長するので、下部に配置されたオーブンレンジから発生する排気ガス、飲食物臭いなどがフード２０の吸入口２１だけでなく前記案内ダクト２５を通して本体１０内に吸入される。すなわち、案内ダクト２５と可動フィルタ２６が本体１０の前方に延長すると、各吸入口２１の固定フィルタ２４により異物が濾された一定量の排気ガス、飲食物臭いなどが吸入されるとともに、ほかの一定量の排気ガス、飲食物臭いなどが可動フィルタ２６により異物が濾されたままで案内ダクト２５の案内により本体１０の内部に吸入される。したがって、案内ダクトが電子レンジの前方に延長した場合、可動フィルタ２６を有する案内ダクト２５はフード２０の吸入面積を拡大させて排気ガス、飲食物などを効果的に吸入及び排気させる。
【００２９】
図２ないし図４は図１に示す作動装置４０の構成及び作用を示すもので、図２は案内ダクト２５、可動フィルタ２６及び作動装置４０の構造を示すフード２０の概略斜視図であり、図３及び図４は作動装置４０の作動により案内ダクト２５と可動フィルタ２６をそれぞれ後退位置と前進位置に移動させて状態を示す平面図である。
【００３０】
図２に示すように、作動装置４０は、フード２０の上面に固定された駆動モータ４１と、一端が前記駆動モータ４１の回転軸４２（図３参照）に結合され、一端を中心に回転する一種の回転部材として機能する作動カム４３と、両端がそれぞれ案内ダクト２５の内側端とフード２０の上面とに固定され、案内ダクト２５を後退位置に引っ込める一対の弾性部材４４とを含む。
【００３１】
フード２０の上面両側には、前記各弾性部材４４の一端をフード２０に固定するため、ブラケット４５が固着される。前記弾性部材４４としては、案内ダクト２５を後退位置に引っ込めるための弾性力を与えるどんな種類の弾性材の部材も用いることができるが、本実施例においては、弾性部材としてコイルスプリングを採択した。
【００３２】
案内ダクト２５と可動フィルタ２６が吸入口２１を遮る後退位置に移動したことを感知するため、案内ダクト２５の後退位置に対応する地点には第１マイクロスイッチ４６が設けられ、案内ダクト２５と可動フィルタ２６が前進位置（図４参照）に移動したことを感知するため、駆動モータ４１の後方には第２マイクロスイッチ４７が設けられる。
【００３３】
また、案内ダクト２５が後退位置で止まるようにするため、案内ダクト２５の後退位置に対応する地点には、案内ダクト２５の内側端が接触して止まるようにする一対のストッパー４８が設けられている。
【００３４】
前記作動カム４３は案内ダクト２５の移動距離に相当する長さを有し、両面が一定の曲率の曲面になっているので、案内ダクト２５の内側面と接触したままで案内ダクト２５を前進位置に押すことができる。
【００３５】
つぎに、図３及び図４を参照して本発明の第１実施例による作動装置４０の作動により案内ダクト２５が前進位置と後退位置間で移動する動作を説明する。
【００３６】
図３に示すように、案内ダクト２５が後退位置に引っ込められると、作動カム４３が案内ダクト２５に対して平行状態に配向され、可動フィルタ２６が付着されている案内ダクト２５は弾性部材４４の弾性復元力により後退位置に移動してストッパー４８により停止される。
【００３７】
また、案内ダクト２５の内側端が第１マイクロスイッチ４６のボタン４６ａを押することから、案内ダクト２５が後退位置に移動したことを感知して駆動モータ４１を停止させる。
【００３８】
案内ダクト２５を前方に延長させて、フード２０を通して排気ガス、飲食物臭いなどをより効果的に吸入するため、駆動モータ４１を作動させると、回転軸４２が回転し、作動カム４３が図３の矢印方向に回転し、よって作動カム４３の曲面が案内ダクト２５の内側面を前方に押すことになる。この際、弾性部材４４が伸張して、案内ダクト２５に後方に引っ込める弾性力を加えることになる。
【００３９】
図４に示すように、作動カム４３の先端面が案内ダクト２５の内側面に接触すると、第２マイクロスイッチ４７のボタン４７ａが作動カム４３により押されることにより、案内ダクト２５が前進位置に移動したことを感知し、よって駆動モータ４１の作動が停止して案内ダクト２５と可動フィルタ２６の前進位置への移動を完了する。
【００４０】
このように、案内ダクト２５と可動フィルタ２６が本体１０から前方に移動した状態では、吸入口２１及び固定フィルタ２４を通して一定の流量の排気ガス、飲食物臭いなどを吸入するだけでなく、案内ダクト２５及び可動フィルタ２６を通しても一定の流量の排気ガス、飲食物臭いなどをフード２０の内部に吸入することになるので、多量の排気ガス、飲食物臭いなどを迅速に厨房空間の外部へ排出することができる。
【００４１】
案内ダクト２５及び可動フィルタ２６が前進位置に移動した状態で、駆動モータ４１を作動して作動カム４３を図４の矢印方向に回転させると、案内ダクト２５は弾性部材４４の弾性復元力によりフード２０の内部に後退する。このような後退動作は案内ダクト２５がストッパー４８に掛かることにより終了する。同時に、第１マイクロスイッチ４６のボタン４６ａが案内ダクト２５により押されることにより、駆動モータ４１の作動を中止させる。
【００４２】
つぎに、図５及び図６を参照して本発明の第２実施例による壁掛け型電子レンジの作動装置について説明する。
【００４３】
図５は本発明の第２実施例による壁掛け型電子レンジの作動装置４０ａにより案内ダクト２５及び可動フィルタ２６が後退位置に移動した状態を示すものであり、図６は案内ダクト２５及び可動フィルタ２６が前進位置に移動した状態を示す。
【００４４】
同図に示すように、本発明の第２実施例による壁掛け型電子レンジの作動装置４０ａは、図２ないし図４に示す作動装置４０の作動カム４３に相当する回転部材として作動棒４３ａを備えたことを除き、第１実施例の作動装置４０とほぼ同一の構成を有する。
【００４５】
この作動装置４０ａは、フード２０の上面に装着された駆動モータ４１と、一端が前記駆動モータ４１の回転軸４２に結合された作動棒４３ａと、両端がそれぞれブラケット４５と案内ダクト２５の内側端に連結された一対の弾性部材４４と、案内ダクト２５の後退位置に対応して駆動モータ４１の後方に配置された第１マイクロスイッチ５１と、案内ダクト２５の前進位置に対応して駆動モータ４１の前方に配置された第２マイクロスイッチ５２と、案内ダクト２５の後退位置で案内ダクト２５の内側端がそれ以上後退できないように制限する一対のストッパー４８とを含む。
【００４６】
前記作動棒４３ａは案内ダクト２５の移動距離に相当する長さを有し、先端にはローラー４９が自転可能に取り付けられる。したがって、作動棒４３ａの回転動作により案内ダクト２５の内側端と接触するとき、自転しながら案内ダクト２５を押して案内ダクト２５を円滑に前進させることになる。
【００４７】
ここで、駆動モータ４１は両方向同期モータを使って製品単価を低減させることが好ましい。この両方向同期モータ４１により、作動棒４３ａは時計方向又は反時計方向に回転し、その先端に取り付けられたローラー４９が案内ダクト２５の内側端と接触することになる。
【００４８】
このように構成された本発明の第２実施例による作動装置４０ａはつぎのように作動して案内ダクト２５及び可動フィルタ２６を前進又は後退させる。
【００４９】
図５に示すように、後退位置において、案内ダクト２５は弾性部材４４の弾性力によりストッパー４８に接触し、第１マイクロスイッチ５１のボタン５１ａが作動棒４３ａの下面に突設された押し突起（図示せず）により押されるので、駆動モータ４１の作動が停止した状態で維持される。
【００５０】
この状態で、駆動モータ４１を作動させると、作動棒４３ａが、図５の矢印のように、時計方向又は反時計方向に回転するにつれて、ローラー４９が案内ダクト２５の内側端面を押して前進させる。この案内ダクト２５の前進動作は、図６に示すように、作動棒４３ａの下面に突設された押し突起が第２マイクロスイッチ５２のボタン５２ａを押して駆動モータ４１の作動を停止させるまで行われる。この前進位置においては、弾性部材４４が伸張して案内ダクト２５と可動フィルタ２６に後退方向への弾性力を作用させることになる。
【００５１】
この前進位置で駆動モータ４１を作動させると、ローラー４９が案内ダクト２５の内側端面から分離するので、弾性部材４４の弾性復元力により案内ダクト２５と可動フィルタ２６が図５に示すような後退位置に移動する。この際、駆動モータ４１は、作動棒４３ａが第１マイクロスイッチ５１のボタン５１ａを押すことにより、停止することになる。
【００５２】
つぎに、図７及び図８を参照して本発明の第３実施例による壁掛け型電子レンジの作動装置について説明する。
【００５３】
図７は本発明の第３実施例による作動装置４０ｂにより案内ダクト２５と可動フィルタ２６が後退位置に移動した状態を示し、図８は案内ダクト２５と可動フィルタ２６が前進位置に移動した状態を示す。
【００５４】
同図に示すように、本発明の第３実施例による作動装置４０ｂは、図５及び図６の第１マイクロスイッチ５１と同一機能をする第１マイクロスイッチ５３が駆動モータ４１の側方に配置され、駆動モータ４１が一方向同期モータであることを除き、図５及び図６の作動装置４０ａと同一の構成を有する。
【００５５】
すなわち、図７に示すように、後退位置で作動装置４０ｂの作動棒４３ａは案内ダクト２５の内側端面に近接して位置する。この近接位置は、駆動モータ４１の一側（図面では左側）に配置された第１マイクロスイッチ５３のボタン５３ａが作動棒４３ａの下面に下向に突出した押し突起（図示せず）により押される位置である。
【００５６】
この後退位置で、一方向同期モータタイプの駆動モータ４１を作動させると、作動棒４３ａが図７の矢印方向に回転し、直ぐにローラー４９が案内ダクト２５の内側端面を押すことにより、案内ダクト２５と可動フィルタ２６が前進位置に迅速に移動するになる。
【００５７】
この案内ダクト２５の前進移動は、図８に示すように、作動棒４３ａの押し突起がフード２０の上面に設けられた第２マイクロスイッチ５２のボタン５２ａを押すことで終了する。
【００５８】
このように、案内ダクト２５が前進位置に移動した状態で、駆動モータ４１を作動させると、作動棒４３ａが図８の矢印方向に回転して図７の位置に移動する。よって、第１マイクロスイッチ５３のボタン５３ａが押されることにより、駆動モータ４１の作動が停止し、作動棒４３ａは案内ダクト２５に隣接した位置に置かれるので、案内ダクト２５が迅速に後進される。また、案内ダクト２５は弾性部材４４の弾性復元力によりフード２０の内部に後退し、ストッパー４８により後退位置で止まる。
【００５９】
【発明の効果】
以上説明したように、本発明による壁掛け型電子レンジは、フードの上面で前後方向に選択的にスライド可能に取り付けられた案内ダクトと可動フィルタを備えるので、可動フィルタを有する案内ダクトがフードから前方に前進すると、その下部に配置されたオーブンレンジの調理時に発生する排気ガス、飲食物臭いなどを異物が濾された状態で広い領域にわたって電子レンジ排気通路に効果的に吸入することにより、厨房空間をより快適に維持することができる効果がある。
【図面の簡単な説明】
【図１】本発明の第１実施例によるフードが装着された壁掛け型電子レンジの構造を示す分解斜視図である。
【図２】本発明の第１実施例による案内ダクト及びその作動装置の構造を示す斜視図である。
【図３】図２に示す案内ダクトの作動装置により案内ダクトが後退位置に移動した状態を示す平面図である。
【図４】図２に示す案内ダクトの作動装置により案内ダクトが前進位置に移動した状態を示す平面図である。
【図５】本発明の第２実施例による案内ダクトの作動装置により案内ダクトが後退位置に移動した状態を示す平面図である。
【図６】図５に示す案内ダクトの作動装置により案内ダクトが前進位置に移動した状態を示す平面図である。
【図７】本発明の第３実施例による案内ダクトの作動装置により案内ダクトが後退位置に移動した状態を示す平面図である。
【図８】図７に示す案内ダクトの作動装置により案内ダクトが前進位置に移動した状態を示す平面図である。
【符号の説明】
２０  フード
２４  固定フィルタ
２５  案内ダクト
２６  可動フィルタ
４０、４０ａ、４０ｂ  作動装置
４３  作動カム
４３ａ  作動棒
４４  弾性部材
【図１】
2004191030.tif 000003
【図２】
2004191030.tif 000004
【図３】
2004191030.tif 000005
【図４】
2004191030.tif 000006
【図５】
2004191030.tif 000007
【図６】
2004191030.tif 000008
【図７】
2004191030.tif 000009
【図８】
2004191030.tif 000010